(57)【要約】【課題】  本願は、固定部材及び支持材を適正な位置に固定できるようにすることを目的とする。また、支持材を少ない部材で、かつ容易に固定する技術を提供することを目的とする。【解決手段】  本願は、屋根上に取り付けられる支持材の固定部材である。固定部材は、屋根上に止着するための止着部と、係合部を有する。係合部は、固定部材の上面側に形成されている。支持材は、被係合部を有する。固定部材が屋根上に載置され、支持材が固定部材の上面に載置され、固定部材が、上面に略垂直な直線を回転軸にして回転されることによって、係合部が被係合部に係合される。【選択図】  図１
2016037812.tif 000002
【特許請求の範囲】
【請求項１】
屋根上に取り付けられる支持材の固定部材であって、
前記固定部材は、
屋根上に止着するための止着部と、
係合部を有し、
該係合部は、
前記固定部材の上面側に形成されており、
前記支持材は、
被係合部を有し、
固定部材が屋根上に載置され、
支持材が固定部材の上面に載置され、
固定部材が、
上面に略垂直な直線を回転軸にして回転されることによって、
前記係合部が前記被係合部に係合される
支持材の固定部材。
【発明の詳細な説明】
【技術分野】
【０００１】
本願は、屋根上に取り付けられる支持材の固定部材を提供することを目的にしている。
【背景技術】
【０００２】
支持材に対して、止着具が垂直方向に打ち込まれて、屋根上に固定されることがある。この場合、支持材に対して風等によって吹上方向の力が加わる。このとき、止着具に対しては、引き抜き方向の力が加わる。そのため、この構造は、風等による吹上方向の力に弱いという問題があった。
【０００３】
この問題に対し、図１０のような屋根葺替え用Ｃ型鋼材固定金具がある。これは、側方から止め釘（止着具）を刺すことによって、固定金具を折版屋根材上に固定している。このようにすることによって、支持材に対して風等による吹上方向の力が加わった場合に、止め釘に対しては、引き抜き方向ではなく、せん断方向に力が加えられる。そのため、この構造は、風等による吹上方向の力に強い構造である。
【０００４】
図１０の屋根葺替え用Ｃ型鋼材固定金具は、まず、止め釘によって屋根上に固定される。次に、支持材が、固定された複数の固定金具の嵌挿部に組み合わされる。そのあと、すべての固定金具のボルトが締め付けられることによって、複数の固定部材上に支持材が固定される。
【先行技術文献】
【特許文献】
【０００５】
【特許文献１】特開平０９−３２４５０１号公報
【発明の概要】
【発明が解決しようとする課題】
【０００６】
図１０の屋根葺替え用Ｃ型鋼材固定金具は、折版屋根材上に固定される。そのあと、屋根葺替え用Ｃ型鋼材（支持材）が、固定された複数の固定金具の嵌挿部に組み合わされる。そのため、あらかじめすべての固定金具が固定される位置を正確に決めておく必要がある。もし、折版屋根材上において、固定金具をずれた位置に固定されたあとに、支持材を嵌挿部に組み合わせられないことに気付いたとしてもやり直しができない。
【０００７】
図１０の技術では、固定された複数の固定金具に対して、屋根葺替え用Ｃ型鋼材（支持材）が組み合わされる。このとき、重量の大きい屋根葺替え用Ｃ型鋼材（支持材）を不安定な状態で、ずらしながら、複数の固定金具の嵌挿部に組み合わせていく。この作業は、負荷が大きかった。
【０００８】
図１０の技術では、すべての固定金具のボルトが締め付けられることによって、支持材が複数の固定金具上に固定される。そのため、ボルトが固定金具の個数分必要であり、コストがかかっていた。また、これらすべてのボルトを締め付ける必要があるので、作業負荷が大きかった。
【０００９】
本願は、固定部材及び支持材を適正な位置に固定できるようにすることを目的とする。また、支持材を少ない部材で、かつ容易に固定する技術を提供することを目的とする。
【課題を解決するための手段】
【００１０】
本願は、屋根上に取り付けられる支持材の固定部材である。固定部材は、屋根上に止着するための止着部と、係合部を有する。係合部は、固定部材の上面側に形成されている。支持材は、被係合部を有する。固定部材が屋根上に載置され、支持材が固定部材の上面に載置され、固定部材が、上面に略垂直な直線を回転軸にして回転されることによって、係合部が被係合部に係合される。
【発明の効果】
【００１１】
本願は、固定部材が屋根上に載置され、支持材が固定部材の上面に載置され、固定部材が、上面に略垂直な直線を回転軸にして回転されることによって、係合部が被係合部に係合される。したがって、支持材が固定部材の上面に載置されたあとに、固定部材が止着される。そのため、そもそも固定部材が適正な固定位置でないことによって、支持材を固定できないという事態に陥ることがない。
【００１２】
また、本願は、支持材が固定部材の上面に載置されたあと、上面に略垂直な直線を回転軸にして固定部材を回転させるだけで、支持材を固定できる。そのため、重量の大きい支持材をずらしながら、複数の固定金具の嵌挿部に組み合わせていくといった負荷の大きい作業が不要である。ただ、固定部材の嵌合部にかぶせるように、支持材を載置するだけでよい。
【００１３】
さらに、本願は、固定部材が、上面に略垂直な直線を回転軸にして回転されることによって、係合部が被係合部に係合される。そのため、ボルト等の部材が不要又は少なくて済むため、コストを削減できる。また、支持材を固定するために、補助的にボルト等を用いたとしても、締め付ける本数を少なくできるので、作業が容易である。
【図面の簡単な説明】
【００１４】
【図１】本願の支持材の固定部材の実施例を示す説明図である。
【図２】本願における支持材の実施例を示す説明図である。
【図３】本願の支持材の固定部材の取り付け実施例を示す説明図である。
【図４】本願の支持材の固定部材の取り付け実施例を示す説明図である。
【図５】本願の支持材の固定部材の取り付け実施例を示す説明図である。
【図６】本願の支持材の固定部材の取り付け実施例を示す説明図である。
【図７】本願の支持材の固定部材の取り付け実施例を示す説明図である。
【図８】本願の支持材の固定部材の取り付け実施例を示す説明図である。
【図９】本願の支持材の固定部材の取り付け実施例を示す説明図である。
【図１０】従来技術を示す説明図である。
【発明を実施するための形態】
【００１５】
本願の支持材の固定部材の実施例について、図面に基づいて説明する。図１は、固定部材の実施例である。図２は、本願の固定部材で固定される支持材の実施例である。図３は、固定部材が屋根上の取り付け位置に載置された実施例である。図４から図６までは、支持材が固定部材の上面に載置された実施例である。図７から図９までは、固定部材が上面に略垂直な直線を回転軸にして回転されたあとに止着具によって固定される実施例である。
【００１６】
まず、本願の固定部材１は、折板や瓦棒のように、山部と谷部を有する屋根Ｙに用いるとよい。また、本願の固定部材１は陸屋根上のレールに組み合わせてもよい。本願では、支持材は、金属桟木などを指す。この金属桟木は、屋根改修時はもちろん、太陽光発電パネルなどのような屋根上設置物を取り付けるのにも利用できる。
【００１７】
次に、図１により、本願の固定部材について説明する。
【００１８】
本願の固定部材１は、屋根上に止着するための止着部１２を有する。本実施例においては、止着具Ｓ用の孔１２１・１２１・１２１を有する止着部１２が形成されている。この孔１２１・１２１・１２１は複数形成されており、ここにビス等の止着具Ｓ・Ｓ・Ｓを打ち込むことによって固定部材１が屋根材等に止着されるようになっている。なお、この場合、止着具Ｓ用の孔１２１の個数は問わない。また、固定部材１は、止着具Ｓを用いずに止着してもよい。たとえば、接着剤や、両面テープなどで止着してもよい。
【００１９】
止着部１２は、上面１３の両端縁を折り下げて、さらに外側に折り曲げられて形成されている。このように、本実施例において固定部材１は、１枚の板状体を折り曲げて形成されている。そのため、固定部材１の製造コストを低く抑えることができる。
【００２０】
本願の固定部材１は、係合部１１を有する。図１の実施例において、係合部１１は、略逆Ｌ字形状の切り起こしである。この係合部１１は、支持材２の被係合部２１に係合して、支持材２を固定できれば、いかなる形状でもよい。ただし、略逆Ｌ字形状の切り起こしとする単純な加工によって、板厚の薄い材料であっても、強い構造にすることが期待できる。
【００２１】
上記の係合部１１は、本願の固定部材１の上面１３側に形成されている。なお、本願の固定部材１の上面１３は、支持材２が載置される面である。本実施例においては、上面１３は、折板の山部よりも高い位置にある。こうすることによって、固定部材１の取付位置は、折板のハゼ部や、剣先ボルトの影響を受けることなく設定できる。
【００２２】
次に、図２により、本願の固定部材１で固定される支持材２について説明する。支持材２は、金属桟木などを指す。たとえば、この金属桟木は、屋根改修時に新屋根を取り付けるために用いたり、太陽光発電パネルを取り付けるための支持材２として用いたりしてもよい。
【００２３】
本願において、支持材２は、固定部材１の上面１３に接する側、すなわち下面に被係合部２１を有する。本実施例において、この被係合部２１は、内向きに対向する折り返し部分を指す。本願において、被係合部２１は、内向きに対向する部分を有するリップ溝のような形状であることが望ましい。したがって、支持材２は、本実施例のようなハット形鋼のほか、Ｃ形鋼などでもよい。なお、被係合部２１は、内向きに対向する部分を有する形状に限定するものではなく、本願の固定部材１の係合部１１と係合して、支持材２を固定できる形状であればよい。
【００２４】
次に、図３から図９までによって、本願の固定部材１の取り付け手順を説明する。
【００２５】
まず、固定部材１は、屋根Ｙ上の取り付け位置に載置される。この取り付け位置は、本実施例においては、折板の山部上である。このほか、固定部材１が瓦棒屋根に固定される場合、瓦棒上が取り付け位置である。このとき、固定部材１は、折板や瓦棒の流れの向きに対して斜め向きに載置される。そのため、固定部材１は、斜めの向きから、止着するときの向きまで回転できるような形状になっている。本実施例のように、折板の山部上に載置される場合、止着部１２は、折板の山部に連なる両斜面に沿うように折り下げられて形成されており、一方は水上側だけ、他方は水下側だけに形成されている。その上、固定部材１が斜め向きに載置したときに、折板の斜面に当接しないように形成されている。
【００２６】
固定部材１は、屋根Ｙ上の取り付け位置に載置されるとき、折板の山部などに当接する当接補助部１４を形成してもよい。本実施例では、当接補助部１４は、折板の山部に当接されるように折り曲げ形成されている。この当接補助部１４は、折板の山部などに当接されることによって、取り付け位置において固定部材１を安定した状態にする効果がある。本実施例において、当接補助部１４は、折板の山部に当接されているが、折板の斜面などに当接されてもよい。
【００２７】
次に、屋根Ｙ上の取り付け位置に載置された複数の固定部材１の上面１３に、支持材２が載置される。本実施例の場合、支持材２が、支持材２の溝２２を固定部材１の係合部１１に被せるようにして載置される。なお、折板の流れ方向に対して斜め向きに載置されたときに、支持材２の溝２２を被せて載置できるように、固定部材１の係合部１１が略一直線上に並んでいることが望ましい。そうすることで、支持材２は、支持材２の溝２２を複数の固定部材１の係合部１１に被せながら、固定部材１の上面１３に安定した状態でかけわたされる。
【００２８】
このとき、固定部材１は、まだ止着部１２によって止着されていない。そのため、複数の固定部材１の上に支持材２が載置された後に、支持材２が適正な状態になるように、固定部材１の位置調整をすることができる。したがって、固定部材１の止着位置のずれによって、支持材２が取り付けられないという事態にはならない。
【００２９】
次に、固定部材１が、上面１３に略垂直な直線を回転軸Ｊにして回転される。そうすることによって、係合部１１が被係合部２１に係合される。本実施例の場合、固定部材１の略逆Ｌ字形状である係合部１１が、支持材２の被係合部２１に嵌合されることによって、支持材２が固定される。
【００３０】
なお、係合部１１が略逆Ｌ字形状である場合、上部の外側に突出している部分の先端が描く軌道の直径は、支持材２の溝２２の開口幅より大きい。このようにすることによって、係合部１１は、支持材２の内側に組み合わせられ、支持材２の被係合部２１に係合される。
【００３１】
被係合部２１に係合部１１が係合されることによって、支持材２が固定部材１に取り付けられる。そのため、図１０の従来技術で用いているようなボルトは用いる必要がないか、用いるにしても極めて少ない本数ですむ。このように、ボルト等が不要になることによってコストが削減でき、ボルト等を締める作業が省ける。
【００３２】
固定部材１に、ストッパー部１５が形成されてもよい。本実施例においては、固定部材１が上面１３に略垂直な直線を回転軸Ｊにして回転されたときに、支持材２の両端縁（つば部）がストッパー部１５に近接又は当接される。このストッパー部１５によって、回転後、支持材２がずれたり、変形したりするのを防げる。たとえば、支持材２に風等による吹上方向の強い力が掛かった場合、溝２２が開いて嵌合が外れてしまうことも想定される。このストッパー部１５が形成されることによって、支持材２の端縁がストッパー部１５に当接し、溝２２が開くことを防ぐことができる。そのため、風等による吹上方向の力に対してより強い構造であると言える。
【００３３】
また、本実施例においては、固定部材１が上面１３に略垂直な直線を回転軸Ｊにして回転されたときに、止着部１２が屋根材に対面する。そうすることで、回転後、固定部材１が屋根Ｙ上で安定した状態になる。たとえば、本実施例の場合、固定部材１の止着部１２は、折板の斜面に対面する。このほか、瓦棒であれば、瓦棒の側面に対面する。このように、止着部は、取り付ける屋根に合わせた形状に形成される。
【００３４】
最後に、止着部１２の孔１２１に打ち込まれた止着具Ｓによって、固定部材１が屋根Ｙ上に止着される。そのため、固定部材１が、上面１３に略垂直な直線を回転軸Ｊにして回転されたとき、止着部１２が支持材２の縁端よりも外側であることが望ましい。そうすることによって、止着具Ｓを止着部１２に打ち込みやすくなるので、施工性が向上する。
【符号の説明】
【００３５】
１        固定部材
１１      係合部
１２      止着部
１２１    孔
１３      上面
１４      当接補助部
１５      ストッパー部
２        支持材
２１      被係合部
２２      溝
Ｊ        回転軸
Ｓ        止着具
Ｙ        屋根
【図１】
2016037812.tif 000003
【図２】
2016037812.tif 000004
【図３】
2016037812.tif 000005
【図４】
2016037812.tif 000006
【図５】
2016037812.tif 000007
【図６】
2016037812.tif 000008
【図７】
2016037812.tif 000009
【図８】
2016037812.tif 000010
【図９】
2016037812.tif 000011
【図１０】
2016037812.tif 000012